(57)【要約】【課題】アウターケーシングの端部が金属製キャップから離脱することを抑制するとともに、アウターケーシングの端部のシールド層が潰れてインナーケーブルの摺動性が低下することを抑制すること。【解決手段】コントロールケーブル１は、インナーケーブル２と、アウターケーシング３と、端末部材４と、金属製キャップ５とを備え、アウターケーシング３の一方の端部３ａは拡径部３４を有し、端末部材４は、拡径部３４と係合する係合部４４と、アウターケーシング固定部４２と、金属製キャップ固定部４３とを有し、端末部材４は、アウターケーシング３の一方の端部３ａとは軸Ｘ方向に離間した位置に設けられた異径部４３１を有し、金属製キャップ５は、端末部材４の異径部４３１を含む範囲とオーバーラップした部位が縮径することで固定されたカシメ固定部５１を有している。【選択図】図１
2020180673.tif 000002
【特許請求の範囲】
【請求項１】
インナーケーブルと、
前記インナーケーブルが挿通されるアウターケーシングと、
前記アウターケーシングの一方の端部が取り付けられる一端部と、前記一端部とは反対側の他端部とを有する端末部材と、
前記端末部材の他端部側に接続される一端部と前記インナーケーブルが相対移動可能に延出する他端部とを有する金属製キャップと
を備えたコントロールケーブルであって、
前記アウターケーシングは、金属線によって構成されたシールド層を有し、
前記アウターケーシングの一方の端部は、前記シールド層を構成する前記金属線が前記アウターケーシングの径方向外側に変位した変位部を含む拡径部を有し、
前記端末部材は、
前記アウターケーシングの前記拡径部と前記アウターケーシングの軸方向で係合する係合部と、前記端末部材の一端部側に設けられたアウターケーシング固定部と、前記端末部材の他端部側に設けられた金属製キャップ固定部とを有し、
前記端末部材は、前記アウターケーシングの一方の端部とは軸方向に離間した位置に設けられた異径部を有し、
前記金属製キャップは、前記端末部材の前記異径部を含む範囲とオーバーラップした部位が縮径することで固定されたカシメ固定部を有する、コントロールケーブル。
【請求項２】
前記異径部は、筒状に形成された前記金属製キャップの内側に挿入され、カシメ固定される筒状の挿入部と、
前記挿入部の外面から前記挿入部の径方向外側に突出し、前記金属製キャップの端面が当接する当接部と
を備えている、請求項１に記載のコントロールケーブル。
【請求項３】
前記異径部は、前記金属製キャップがカシメられたときに、前記金属製キャップの内面と軸方向で係合するように構成された凹部を有している、請求項１または２に記載のコントロールケーブル。
【発明の詳細な説明】
【技術分野】
【０００１】
本発明はコントロールケーブルに関する。
【背景技術】
【０００２】
コントロールケーブルを取付対象に配索する際に、コントロールケーブルのアウターケーシングの端部を所定の位置に固定する必要がある。たとえば、アウターケーシングの端部の外周に、取付対象に固定される金属製キャップが被せられて金属製キャップをカシメることによって、アウターケーシングの端部が取付対象の所定の位置に固定される（特許文献１参照）。
【先行技術文献】
【特許文献】
【０００３】
【特許文献１】特開２０００−１７９５３２号公報
【発明の概要】
【発明が解決しようとする課題】
【０００４】
しかし、アウターケーシングが金属線によって構成されたシールド層を有している場合、アウターケーシングの端部をカシメ固定すると、アウターケーシングのシールド層の金属線が径方向内側に潰れて、アウターケーシングの内径が小さくなる場合がある。この場合、アウターケーシング内に収容されたインナーケーブルの摺動性が低下し、荷重効率などのインナーケーブルの操作性が低下する。一方、アウターケーシングの端部の外周側からのカシメが弱い場合や、アウターケーシングの端部をカシメない場合（たとえば接着剤によって接着する場合など）は、アウターケーシングの端部が金属製キャップから抜けてしまう可能性がある。
【０００５】
そこで、本発明は、アウターケーシングの端部が金属製キャップから離脱することを抑制するとともに、アウターケーシングの端部のシールド層が潰れてインナーケーブルの摺動性が低下することを抑制することができるコントロールケーブルの提供を目的とする。
【課題を解決するための手段】
【０００６】
本発明のコントロールケーブルは、インナーケーブルと、前記インナーケーブルが挿通されるアウターケーシングと、前記アウターケーシングの一方の端部が取り付けられる一端部と、前記一端部とは反対側の他端部とを有する端末部材と、前記端末部材の他端部側に接続される一端部と前記インナーケーブルが相対移動可能に延出する他端部とを有する金属製キャップとを備えたコントロールケーブルであって、前記アウターケーシングは、金属線によって構成されたシールド層を有し、前記アウターケーシングの一方の端部は、前記シールド層を構成する前記金属線が前記アウターケーシングの径方向外側に変位した変位部を含む拡径部を有し、前記端末部材は、前記アウターケーシングの前記拡径部と前記アウターケーシングの軸方向で係合する係合部と、前記端末部材の一端部側に設けられたアウターケーシング固定部と、前記端末部材の他端部側に設けられた金属製キャップ固定部とを有し、前記端末部材は、前記アウターケーシングの一方の端部とは軸方向に離間した位置に設けられた異径部を有し、前記金属製キャップは、前記端末部材の前記異径部を含む範囲とオーバーラップした部位が縮径することで固定されたカシメ固定部を有している。
【発明の効果】
【０００７】
本発明のコントロールケーブルによれば、アウターケーシングの端部が金属製キャップから離脱することを抑制するとともに、アウターケーシングの端部のシールド層が潰れてインナーケーブルの摺動性が低下することを抑制することができる。
【図面の簡単な説明】
【０００８】
【図１】本発明の一実施形態のコントロールケーブルの全体図である。
【図２】本発明の一実施形態のコントロールケーブルに用いられるアウターケーシングを示す概略図である。
【図３】金属製キャップが端末部材に取り付けられる前の状態を示す概略図である。
【図４】金属製キャップが端末部材に取り付けられた後の状態を示す概略図である。
【図５】図３のＡ−Ａ線断面図である。
【発明を実施するための形態】
【０００９】
以下、図面を参照し、本発明の一実施形態のコントロールケーブルを説明する。なお、以下に示す実施形態はあくまで一例であり、本発明のコントロールケーブルは、以下の実施形態に限定されるものではない。
【００１０】
図１に示されるように、本実施形態のコントロールケーブル１は、インナーケーブル２と、アウターケーシング３と、端末部材４と、金属製キャップ５とを備えている。
【００１１】
コントロールケーブル１は、コントロールケーブル１の一端側に加わった操作力を他端側に伝達する。本実施形態では、コントロールケーブル１は、コントロールケーブル１が取付対象に取り付けられたときに、図１に示されるように、操作部Ｐ１に加わった操作力を被操作部Ｐ２に伝達し、被操作部Ｐ２を遠隔操作できるように構成されている。具体的には、インナーケーブル２の一端部２ａが被操作部Ｐ２に接続され、インナーケーブル２の他端部２ｂが操作部Ｐ１に接続され、操作部Ｐ１に加わった操作力はインナーケーブル２を介して被操作部Ｐ２に伝達される。コントロールケーブル１は、たとえば、取付対象である車両に取り付けられ、車両シートのロック解除をするために操作されるシートケーブルとすることができる。しかし、コントロールケーブル１の用途は、操作部Ｐ１の操作によって被操作部Ｐ２を操作することができれば、特に限定されない。なお、本実施形態のコントロールケーブル１とは異なり、インナーケーブル２の一端部２ａ（金属製キャップ５が設けられた端部）が操作部Ｐ１に接続され、インナーケーブル２の他端部２ｂが被操作部Ｐ２に接続されてもよい。
【００１２】
インナーケーブル２は、インナーケーブル２の一端部２ａと他端部２ｂとの間で操作力を伝達する。本実施形態では、インナーケーブル２は、インナーケーブル２の他端部２ｂ側に設けられた操作部Ｐ１に加わった操作力をインナーケーブル２の一端部２ａ側に設けられた被操作部Ｐ２に伝達し、被操作部Ｐ２を遠隔操作する。
【００１３】
アウターケーシング３は、インナーケーブル２が挿通される、可撓性を有するチューブ状の部材である。アウターケーシング３は、一方の端部３ａおよび他方の端部３ｂを有している。アウターケーシング３の一方の端部３ａおよび他方の端部３ｂは、取付対象に取り付けられる。本実施形態では、図１に示されるように、アウターケーシング３の一方の端部３ａは端末部材４を介して取付対象に取り付けられ、他方の端部３ｂは第二端末部材６を介して取付対象に取り付けられている。具体的には、アウターケーシング３の一方の端部３ａは、端末部材４が金属製キャップ５と接続され、金属製キャップ５に設けられたブラケット等の取付部Ｂを介して、取付対象に取り付けられる。また、アウターケーシング３の他方の端部３ｂは、第二端末部材６に設けられた取付部６１を介して、取付対象に取り付けられる。金属製キャップ５の取付部Ｂは、本実施形態では、車体等の取付対象に取り付け可能な板状のブラケットである。しかし、取付部Ｂの形状および構造は、金属製キャップ５を取付対象に取り付け可能であれば、特に限定されない。たとえば、取付部Ｂは、車体等の取付対象に設けられたブラケットに係合可能な溝部（たとえば、第二端末部材６の取付部６１と類似の構造）など、他の構造を有していてもよい。第二端末部材６の取付部６１は、本実施形態では、第二端末部材６に形成された、車体等の取付対象に設けられたブラケットに係合可能な環状の溝である。しかし、第二端末部材６の取付部６１の形状および構造は、第二端末部材６を取付対象に取り付け可能であれば、特に限定されない。たとえば、第二端末部材６の取付部６１は、取付対象に取り付け可能なブラケットであってもよい。
【００１４】
アウターケーシング３は、本実施形態では、図２に示されるように、金属線３１ａによって構成されたシールド層３１を有している。より具体的には、アウターケーシング３は、ライナー３２と、ライナー３２の外周に設けられたシールド層３１と、シールド層３１の外側に設けられたコート層３３とを有している。
【００１５】
ライナー３２は、インナーケーブル２が摺動する部分である。ライナー３２は、本実施形態では、樹脂製の中空部材であり、インナーケーブル２を収容可能な内側空間ＳＰを有している。本実施形態では、ライナー３２の外周に、補強層であるシールド層３１が設けられている。シールド層３１は金属線３１ａによってアウターケーシング３を補強する。本実施形態では、シールド層３１は、アウターケーシング３の軸Ｘ方向に対して一方向に螺旋状に撚られた複数の金属線３１ａによって構成されている。コート層３３は、シールド層３１の外周に設けられた保護層である。コート層３３はたとえば合成樹脂により形成されている。
【００１６】
なお、図２に示すアウターケーシング３の構造は、アウターケーシング３は金属線からなる補強層としてのシールド層３１を有していれば、図示する構造に特に限定されない。たとえば、アウターケーシング３のシールド層３１は、一方向に螺旋状に撚られた複数の金属線３１ａに加えて、金属線３１ａとは逆方向に撚られた複数の金属線を有していてもよい。また、アウターケーシング３は、シールド層３１、ライナー３２およびコート層３３に加えて、他の層を有していてもよい。
【００１７】
詳細は後述するが、アウターケーシング３の一方の端部３ａは、図２に示されるように、シールド層３１を構成する金属線３１ａがアウターケーシング３の径方向外側に変位した変位部３４ａを含む拡径部３４を有している。拡径部３４は、後述する端末部材４の係合部４４と係合することができるように、アウターケーシング３の外周に対して拡径したフランジ状の部位である。具体的には、金属線３１ａは、ライナー３２よりも軸Ｘ方向に長く延び、径方向外側に折り曲げられて変位部３４ａを形成し、複数の変位部３４ａによって、フランジ状の拡径部３４が形成されている。本実施形態では、それぞれの変位部３４ａは、図５に示されるように、アウターケーシング３の周方向に互いに離間するように延びている。なお、本実施形態では、拡径部３４の変位部３４ａは、図２に示されるように、アウターケーシング３の軸Ｘ方向に対して略垂直方向に折り曲げられているが、拡径部３４が端末部材４の係合部４４と軸Ｘ方向に係合することが可能であれば、変位部３４ａの曲げ角度や形状は特に限定されない。拡径部３４は、変位部３４ａのみで形成されてもよく、変位部３４ａとコート層３３とを含み、変位部３４ａがコート層３３の樹脂成分によって覆われていてもよい。
【００１８】
金属製キャップ５は、アウターケーシング３の一方の端部３ａを、端末部材４を介して取付対象に接続するとともに、アウターケーシング３の一方の端部３ａから導出されるインナーケーブル２を挿通する、金属製の筒状部材である。金属製キャップ５は、金属製であることによって、熱や衝撃に強く、インナーケーブル２を熱や衝撃から保護することができる。また、本実施形態では、金属製キャップ５は、端末部材４を介してアウターケーシング３の一方の端部３ａ側を取付対象に取り付ける。金属製キャップ５は、本実施形態では、上述したようにブラケット等の取付部Ｂを有しており、取付部Ｂを介して、車体等の取付対象にアウターケーシング３を強固に取り付けることができる。
【００１９】
金属製キャップ５は、図１に示されるように、端末部材４の他端部４ｂ側に接続される一端部５ａとインナーケーブル２が相対移動可能に延出する他端部５ｂとを有している。本実施形態では、金属製キャップ５の一端部５ａは、端末部材４の後述する挿入部４３１ｂが挿入される開口部を有している。本実施形態では、金属製キャップ５は、後述するカシメ固定部５１（図４参照）を有している。カシメ固定部５１は、図４に示されるように、端末部材４が挿入された金属製キャップ５の一端部５ａがカシメられることによって形成される。金属製キャップ５の他端部５ｂは、金属製キャップ５の一端部５ａ側から金属製キャップ５の内側の空間に導入されたインナーケーブル２が導出される開口部を有している。金属製キャップ５の他端部５ｂは、本実施形態では、図１に示されるように、取付部Ｂを有しているが、取付部Ｂを設ける位置は特に限定されない。金属製キャップ５は、本実施形態では、インナーケーブル２を所定の配索経路に案内するために、金属製キャップ５の長手方向の中央部近傍で湾曲している。金属製キャップ５の形状は、端末部材４に接続可能であり、インナーケーブル２を挿通可能な空間を有していれば、特に限定されない。
【００２０】
端末部材４は、アウターケーシング３の一方の端部３ａおよび金属製キャップ５の一端部５ａが取り付けられる部材である。端末部材４は、アウターケーシング３と金属製キャップ５とを接続する。端末部材４は、図１、図３および図４に示されるように、アウターケーシング３の一方の端部３ａが取り付けられる一端部４ａと、アウターケーシング３の軸Ｘ方向で、一端部４ａとは反対側の他端部４ｂとを有している。また、端末部材４は、アウターケーシング３の一方の端部３ａを取り付けるとともに、アウターケーシング３の一方の端部３ａから導出するインナーケーブル２を挿通できるように、端末部材４の一端部４ａ側から他端部４ｂ側までアウターケーシング３の軸Ｘ方向に貫通する貫通孔４１を有している。端末部材４の材料は、アウターケーシング３の一方の端部３ａおよび金属製キャップ５の一端部５ａを取り付け可能であれば特に限定されない。本実施形態では、端末部材４は樹脂製であるが、金属製であってもよい。
【００２１】
端末部材４は、図１、図３および図４に示されるように、端末部材４の一端部４ａ側に設けられたアウターケーシング固定部４２と、端末部材４の他端部４ｂ側に設けられた金属製キャップ固定部４３とを有している。また、端末部材４は、アウターケーシング３の拡径部３４とアウターケーシング３の軸Ｘ方向で係合する係合部４４を有している。
【００２２】
アウターケーシング固定部４２は、端末部材４の一端部４ａ側に設けられ、アウターケーシング３の一方の端部３ａが固定される部位である。本実施形態では、アウターケーシング固定部４２は、アウターケーシング３の一方の端部３ａの外周を覆って収容する筒状の部分である。
【００２３】
係合部４４は、アウターケーシング３の拡径部３４とアウターケーシング３の軸Ｘ方向で少なくとも部分的に係合する部位である。アウターケーシング３の拡径部３４が係合部４４に係合することによって、アウターケーシング３が端末部材４から軸Ｘ方向に離脱することが抑制される。係合部４４は、アウターケーシング３の軸Ｘ方向で拡径部３４と対向する位置に設けられ、アウターケーシング３が端末部材４から離脱する方向に力を受けたときに、拡径部３４が係合部４４に係合して、アウターケーシング３の離脱が抑制される。
【００２４】
係合部４４の構造は、アウターケーシング３の拡径部３４と軸Ｘ方向に係合してアウターケーシング３の離脱を抑制することができれば、特に限定されない。たとえば、係合部４４は、アウターケーシング３の軸Ｘ方向に対して略垂直方向に延び、拡径部３４と係合する壁部とすることができる。本実施形態では、端末部材４の係合部４４はアウターケーシング３の軸Ｘ方向で拡径部３４と係合しているが、端末部材４はアウターケーシング３の周方向で拡径部３４と係合する周方向係合部を有していてもよい。たとえば、本実施形態では、アウターケーシング３と樹脂製の端末部材４とが一体成形（異種材一体成形）されることによって、図５に示されるように、拡径部３４の変位部３４ａを構成する各金属線３１ａの間に樹脂材料が充填され、拡径部３４と周方向で係合している。この場合、アウターケーシング３の軸Ｘ方向での離脱の抑制に加え、アウターケーシング３の軸Ｘ周り方向の回転が抑制される。なお、アウターケーシング３と端末部材４との接合は、一体成形に限定されない。たとえば、端末部材４を、拡径部３４を収容可能な凹部（凹部に係合部４４を有している）を有する２つの半割状部材から構成して、端末部材４に、拡径部３４を有するアウターケーシング３を組み付けてもよい。
【００２５】
金属製キャップ固定部４３は、端末部材４の他端部４ｂ側に設けられ、金属製キャップ５の一端部５ａが固定される部位である。本実施形態では、図１、図３および図４に示されるように、金属製キャップ固定部４３は、金属製キャップ５のカシメ固定部５１がカシメ固定されて、金属製キャップ５が固定される。端末部材４は、硬質樹脂を用いて形成することができる。
【００２６】
端末部材４（本実施形態では、金属製キャップ固定部４３）は、異径部４３１を有している。異径部４３１は、端末部材４（本実施形態では金属製キャップ固定部４３）のうち、周囲の部位に対して軸Ｘ方向に異なる外径を有する部位を含んでいる。
【００２７】
異径部４３１は、金属製キャップ５のカシメ固定部５１がカシメ固定される部位であり、金属製キャップ５のカシメ固定部５１は、端末部材４の異径部４３１を含む範囲とオーバーラップした部位が縮径することで固定されている。異径部４３１がアウターケーシング３の軸Ｘ方向で異なる外径を有していることにより、図４に示されるように、カシメ固定部５１が縮径した際に、異径部４３１の異なる外径によって形成された軸Ｘ方向の段部にカシメ固定部５１が係合する。これにより、金属製キャップ５は、軸周り方向の回転が抑制され、端末部材４との間の軸Ｘ方向の離脱が抑制される。異径部４３１は、金属製キャップ５のカシメ固定部５１がカシメられた際にカシメ固定部５１と係合する係合部として、凹部４３１ａを有する。本実施形態では、図３および図４に示されるように、異径部４３１は、金属製キャップ５がカシメられたときに、金属製キャップ５の内面と軸Ｘ方向で係合するように構成された凹部４３１ａを有している。異径部４３１が凹部４３１ａを有している場合、図３および図４に示されるように、異径部４３１において軸Ｘ方向に段部ＳＴ１、ＳＴ２が形成される。端末部材４が金属製キャップ５から離脱しようとした場合に、凹部４３１ａにより形成された段部ＳＴ１、ＳＴ２と、カシメ固定部５１の縮径した部分とが軸Ｘ方向で係合する。これにより、端末部材４が金属製キャップ５に対して軸Ｘ方向に移動することが抑制される。具体的には、端末部材４の他端部４ｂ側の段部ＳＴ１は、アウターケーシング３の軸Ｘ方向で、アウターケーシング３の一方の端部３ａから離れる方向に移動すること、すなわち、金属製キャップ５が異径部４３１から離脱することを抑制する。一方、端末部材４の一端部４ａ側の段部ＳＴ２は、金属製キャップ５がアウターケーシング３の軸Ｘ方向で、アウターケーシング３の一方の端部３ａに近付く方向に移動することを抑制する。
【００２８】
本実施形態では、凹部４３１ａは、異径部４３１においてアウターケーシング３の軸Ｘ周り方向に環状に形成されている。凹部４３１ａの形状は、金属製キャップ５の内面と軸Ｘ方向で係合することができれば、特に限定されない。たとえば、凹部は、アウターケーシング３の周方向に分離していてもよいし、軸Ｘ方向に分離していてもよい。
【００２９】
本実施形態では、図１、図３および図４に示されるように、異径部４３１は、筒状に形成された金属製キャップ５の内側に挿入され、カシメ固定される筒状の挿入部４３１ｂと、挿入部４３１ｂの外面から挿入部４３１ｂの径方向外側に突出し、金属製キャップ５の端面５２が当接する当接部４３１ｃとを備えている。また、異径部４３１は、アウターケーシング固定部４２よりも細径とされ、金属製キャップ５の外径と略同径もしくは小さい径とされている。異径部４３１がアウターケーシング固定部４２よりも細径とされているので、金属製キャップ５の外径とアウターケーシング固定部４２の外径とを略同径、もしくは、金属製キャップ５の外径をアウターケーシング固定部４２の外径よりも小さくすることができるので、金属製キャップ５の取付部分の周辺が狭い場合でも金属製キャップ５を取付けることができる。
【００３０】
挿入部４３１ｂは、金属製キャップ５の一端部５ａの内側に挿入される部位である。挿入部４３１ｂは、図３および図４に示されるように、金属製キャップ５の一端部５ａがカシメ固定される前に金属製キャップ５に挿入される。挿入部４３１ｂが金属製キャップ５の一端部５ａに挿入された後、金属製キャップ５の一端部５ａがカシメられてカシメ固定部５１が形成されて、金属製キャップ５が端末部材４に固定される。挿入部４３１ｂは、後述する筒状部４５の軸Ｘ方向の端面から軸Ｘ方向に延びている。本実施形態では、筒状部４５から軸Ｘ方向に延びる挿入部４３１ｂの基端部（筒状部４５側の端部）と、挿入部４３１ｂの先端部との間に凹部４３１ａが設けられている。
【００３１】
当接部４３１ｃは、図３および図４に示されるように、金属製キャップ５の端面５２と軸Ｘ方向で当接する部位である。当接部４３１ｃが金属製キャップ５の端面５２と当接することにより、金属製キャップ５がカシメ固定される前に、金属製キャップ５が挿入部４３１ｂに挿入されるときの位置決めが容易になる。また、コントロールケーブル１が操作され、アウターケーシング３に、軸Ｘ方向で金属製キャップ５に向かう方向の力が加わったときに、金属製キャップ５の端面５２が当接部４３１ｃに当接して、アウターケーシング３の軸Ｘ方向の移動が抑制される。当接部４３１ｃは、本実施形態では、係合部４４およびアウターケーシング固定部４２を含む大径の筒状部４５と、大径の筒状部４５よりも小径の挿入部４３１ｂとの間に段差状に形成された軸Ｘ方向に対して垂直な面である。しかし、当接部４３１ｃの形状や構造は、金属製キャップ５の端面５２が当接可能であれば、特に限定されない。
【００３２】
本実施形態のコントロールケーブル１は、上述したように、金属線３１ａがアウターケーシング３の径方向外側に変位した変位部３４ａを含む拡径部３４と端末部材４の係合部４４との係合によって、アウターケーシング３の軸Ｘ方向の移動が規制されている。さらに、金属製キャップ５がカシメられる異径部４３１は、アウターケーシング３の一方の端部３ａとは軸Ｘ方向に離間した位置に設けられている。異径部４３１の「アウターケーシング３の一方の端部３ａとは軸Ｘ方向に離間した位置」は、アウターケーシング３の一方の端部３ａと軸Ｘ方向で重なっておらず、異径部４３１がカシメられたときにアウターケーシング３の一方の端部３ａのシールド層３１がカシメられない位置であれば、特に限定されない。異径部４３１が上述した位置に設けられていることにより、アウターケーシング３の一方の端部３ａのシールド層３１が潰れてインナーケーブル２の摺動性が低下することが抑制される。そして、異径部４３１がアウターケーシング３の一方の端部３ａから軸Ｘ方向に離間していることによって、金属製キャップ５を強くカシメることが可能となり、金属製キャップ５の離脱を抑制することができる。また、アウターケーシング３は端末部材４に対してカシメられずに、シールド層３１の金属線３１ａにより構成された拡径部３４が端末部材４の係合部４４と係合することによって、アウターケーシング３の端末部材４からの離脱が抑制されている。このように、アウターケーシング３の離脱の抑制に、アウターケーシング３のシールド層３１の金属線３１ａを用いているため、端末部材４とアウターケーシング３との間の固定に、別部材を用いる必要がない。さらに、金属製キャップ５とアウターケーシング３との間の軸Ｘ方向の相対移動を抑制するために、端末部材４の異径部４３１に金属製キャップ５をカシメられている。したがって、異径部４３１はアウターケーシング３の一方の端部３ａに対して軸Ｘ方向に離間しているので、アウターケーシング３をカシメることなく、金属製キャップ５とアウターケーシング３との間の軸Ｘ方向の相対移動を抑制することができる。そのため、アウターケーシング３のシールド層３１が径方向内側に潰れることがなく、シールド層３１の内側の空間（内側空間ＳＰ）が狭くなって、インナーケーブル２の摺動抵抗が増加することが抑制される。
【００３３】
また、金属製キャップ５とアウターケーシング３との間に軸Ｘ方向に加わる力は、アウターケーシング３の拡径部３４と端末部材４の係合部４４との間の係合部位と、異径部４３１とカシメ固定部５１との間の係合部位との２か所に分散される。したがって、アウターケーシング３の拡径部３４と端末部材４の係合部４４との間の係合部位、および、異径部４３１とカシメ固定部５１との間の係合部位での係合の解除や、部材の破損が抑制される。
【符号の説明】
【００３４】
１  コントロールケーブル
２  インナーケーブル
２ａ  インナーケーブルの一端部
２ｂ  インナーケーブルの他端部
３  アウターケーシング
３ａ  アウターケーシングの一方の端部
３ｂ  アウターケーシングの他方の端部
３１  シールド層
３１ａ  金属線
３２  ライナー
３３  コート層
３４  拡径部
３４ａ  変位部
４  端末部材
４ａ  端末部材の一端部
４ｂ  端末部材の他端部
４１  貫通孔
４２  アウターケーシング固定部
４３  金属製キャップ固定部
４３１  異径部
４３１ａ  凹部
４３１ｂ  挿入部
４３１ｃ  当接部
４４  係合部
４５  筒状部
５  金属製キャップ
５ａ  金属製キャップの一端部
５ｂ  金属製キャップの他端部
５１  カシメ固定部
５２  金属製キャップの端面
６  第二端末部材
６１  取付部
Ｂ  取付部
Ｐ１  操作部
Ｐ２  被操作部
ＳＰ  内側空間
ＳＴ１、ＳＴ２  段部
Ｘ  アウターケーシングの軸
【図１】
2020180673.tif 000003
【図２】
2020180673.tif 000004
【図３】
2020180673.tif 000005
【図４】
2020180673.tif 000006
【図５】
2020180673.tif 000007